(57)【要約】【課題】アームを用いなくても、鏡の近くに携帯端末を置くことができる鏡装置を提供する。【解決手段】鏡装置は、鏡２２２と、鏡２２２の下方から鏡２２２よりも前方向に突出する携帯端末９用の搭載台３と、を備える。搭載台３は、携帯端末９が載る載置部３１と、載置部３１に載った携帯端末９の下端部の位置を保つ位置決め部３２１と、を有する。【選択図】図１
2020120946.tif 000002
【特許請求の範囲】
【請求項１】
鏡と、
前記鏡の下方から前記鏡よりも前方向に突出する携帯端末用の搭載台と、
を備え、
前記搭載台は、
前記携帯端末が載る載置部と、
前記載置部に載った前記携帯端末の下端部の位置を保つ位置決め部と、
を有する、
鏡装置。
【請求項２】
前記位置決め部は、前記載置部から上方向に突出して、前記携帯端末の下端部に対し前方に対向する、
請求項１記載の鏡装置。
【請求項３】
前記鏡を保持するサッシを更に備え、
前記搭載台は、前記サッシに沿って取り付けられている、
請求項１又は請求項２記載の鏡装置。
【請求項４】
前記鏡の下方に設けられた取付け部を更に備え、
前記搭載台は、前記取付け部に対して移動可能に取り付けられている、
請求項１〜３のいずれか一項に記載の鏡装置。
【請求項５】
前記鏡の下方に設けられた取付け部を更に備え、
前記搭載台は、前記取付け部に対して取外し可能に取り付けられている、
請求項１〜３のいずれか一項に記載の鏡装置。
【請求項６】
設置面に沿って取り付けられ、前面に開口面を有するキャビネットと、
前記キャビネットに対して前記開口面を開閉可能に取り付けられた鏡扉と、
を更に備え、
前記鏡扉は、前記鏡を含む、
請求項１〜５のいずれか一項に記載の鏡装置。
【発明の詳細な説明】
【技術分野】
【０００１】
本発明は、鏡装置に関する。より詳細には、鏡を備える鏡装置に関する。
【背景技術】
【０００２】
特許文献１には、従来のカウンタが記載されている。特許文献１に記載のカウンタは、カウンタに固定される第１の支持棒と、第１の支持棒に同心状に配置される第２の支持棒と、ステージと、を備える。第２の支持棒は第１の支持棒に対して可動である。第２の支持棒の上端にはステージが設けられている。ステージには、端末機器が取り付けられる。
【０００３】
特許文献１に係るカウンタでは、ステージに端末機器が取り付けられることで、カウンタよりも高い位置において、端末機器を配置できる。これにより、ユーザは端末機器を用いて、例えば、画像等を見ながら、カウンタで作業をすることができる。
【先行技術文献】
【特許文献】
【０００４】
【特許文献１】特開２００７−１４３６６３号公報
【発明の概要】
【発明が解決しようとする課題】
【０００５】
ところで、一般に、カウンタよりも高い位置に鏡が配置されることが多い。このため、特許文献１に記載の発明では、鏡の近くに端末機器を配置することができる。しかし、特許文献１に記載の発明では、鏡の近くに端末機器を取り付けるために、第１の支持棒、第２の支持棒及びステージ等のように、カウンタから離すための長いアームが必要であるという問題がある。
【０００６】
本発明は、上記事情に鑑みてなされ、アームを用いなくても、鏡の近くに携帯端末を置くことができる鏡装置を提供することを目的とする。
【課題を解決するための手段】
【０００７】
本発明の一態様の鏡装置は、鏡と、前記鏡の下方から前記鏡よりも前方向に突出する携帯端末用の搭載台と、を備える。前記搭載台は、前記携帯端末が載る載置部と、前記載置部に載った前記携帯端末の下端部の位置を保つ位置決め部と、を有する。
【発明の効果】
【０００８】
本発明の上記態様の鏡装置によれば、アームを用いなくても、鏡の近くに携帯端末を置くことができる、という利点がある。
【図面の簡単な説明】
【０００９】
【図１】図１は、本発明の一実施形態に係る鏡装置の斜視図である。
【図２】図２は、同上の鏡装置の搭載台の近傍の拡大斜視図である。
【図３】図３は、同上の鏡装置の取付け部と搭載台との分解斜視図である。
【図４】図４は、変形例１の鏡装置の斜視図である。
【発明を実施するための形態】
【００１０】
（１）実施形態
以下、本実施形態に係る鏡装置について、詳細に説明する。
【００１１】
本実施形態に係る鏡装置は、図１に示すように、洗面台１である。洗面台１は設置面８２に取り付けられている。設置面８２は、本実施形態では、鉛直面で、かつ洗面台１に沿った面を意味する。本実施形態に係る設置面８２は、脱衣所等の部屋の壁面である。ここで、本開示では、壁面に直交する方向を「前後方向」として定義し、壁面に沿い、かつ水平面に沿う方向を「左右方向」として定義する。また、前後方向のうち、壁面からカウンタに向かう方向を「前方向」とし、その反対方向を「後方向」として定義する。
【００１２】
洗面台１は、壁面に対し、後方向の端部において、左右方向の全長にわたって接合されており、いわゆる片持ち梁状に支えられている。要するに、本実施形態に係る洗面台１は、フロート式洗面台である。本開示でいう「フロート式洗面台」とは、下方にスペースがあり、一見すると浮いているように見える洗面台を意味する。
【００１３】
洗面台１は、下キャビネット７と、ワークトップ６と、立壁５と、ミラーキャビネット２と、を備える。
【００１４】
下キャビネット７は、ワークトップ６の下方に設けられている。下キャビネット７は、本実施形態では、収納ボックス７１と、収納ボックス７１に対して引出し可能に取り付けられた引出し部７２と、を備える。下キャビネット７は、本実施形態では、床面８１に対してスペースを介して上方向に配置された状態で、設置面８２に取り付けられている。
【００１５】
ワークトップ６は、下キャビネット７に載り、設置面８２に対して固定されている。ワークトップ６は、下キャビネット７に対して取り付けられてもよいし、設置面８２に対して取り付けられてもよい。ワークトップ６は、カウンタ面６１と、ボウル６２と、バックガード６３と、を備える。
【００１６】
カウンタ面６１は、上方向を向く略平面であり、本実施形態では水平面に沿っている。カウンタ面６１は、例えば、洗顔フォーム、化粧水、化粧品等の小物を置くことができる。カウンタ面６１は、ボウル６２を囲むように形成されており、ボウル６２に隣接している。
【００１７】
ボウル６２は、水栓６４から吐出された水（湯を含む）を受ける。本実施形態に係るボウル６２は洗面ボウルである。ただし、ここでいう洗面ボウルは、顔を洗うことに用いられるだけでなく、例えば、手、脚等の身体の一部を洗うためや、衣服や物を洗うために用いられてもよい。ボウル６２は、上面に開口面を有している。本実施形態では、ボウル６２の開口面はカウンタ面６１と同一平面上に位置している。したがって、本実施形態では、ボウル６２は、カウンタ面６１から下方向に凹んでいる。
【００１８】
バックガード６３は、カウンタ面６１に付着した水が設置面８２に付着するのを防止する。バックガード６３は、カウンタ面６１の後方向の端部から上方向に突出している。
【００１９】
立壁５は、設置面８２に取り付けられた防水壁である。立壁５は板状に形成されている。立壁５は、ワークトップ６のバックガード６３の上端面に載った状態で、設置面８２に取り付けられている。立壁５の下端面とバックガード６３の上端面との間は、例えば、シーリング材で接続されている。立壁５は、ワークトップ６とミラーキャビネット２との間の全面にわたって存在する。
【００２０】
ミラーキャビネット２は、鏡扉２２を有するキャビネット２１である。ミラーキャビネット２は、前面に開口面を有するキャビネット２１と、キャビネット２１に対して開口面を開閉可能に取り付けられた鏡扉２２と、を備える。
【００２１】
キャビネット２１は設置面８２に沿って取り付けられる。キャビネット２１の内部は、例えば、複数の仕切りを有し、複数の仕切りによって複数の収納空間が形成されている。キャビネット２１は、本実施形態では、合成樹脂により構成されるが、本開示に係るキャビネット２１は、木材、金属等で構成されてもよい。
【００２２】
鏡扉２２は、鏡２２２を含む扉である。鏡扉２２は、本実施形態では、扉本体２２１と、扉本体２２１の前面に取り付けられた鏡２２２と、を備える。扉本体２２１は、キャビネット２１に対し、回転可能に取り付けられる。扉本体２２１の回転軸は、上下方向に平行である。扉本体２２１は、キャビネット２１の開口面を開閉可能な状態で、キャビネット２１に対して取り付けられている。鏡２２２は、本実施形態では、板状に形成されており、扉本体２２１の前面において、サッシ２２３で取り付けられている。
【００２３】
サッシ２２３は、鏡２２２を保持した状態で、扉本体２２１に取り付けられる。サッシ２２３は、本実施形態では、鏡２２２の上方向の端部と下方向の端部との両方を保持する。ただし、本開示に係るサッシ２２３は、鏡２２２の外周全周を保持してもよく、要するに、鏡２２２の外周部の少なくとも一部を保持すればよい。
【００２４】
本実施形態に係る鏡扉２２は、三面鏡を構成する。鏡扉２２は、中央扉２５と、左扉２４と、右扉２３と、を備える。右扉２３の回転軸は、右扉２３の左側の端部にある。左扉２４の回転軸は、左扉２４の右側の端部にある。中央扉２５の回転軸は、中央扉２５の右側の端部にある。ただし、本開示に係る鏡扉２２は、三面鏡でなくてもよく、一つの扉で構成されてもよい。
【００２５】
ミラーキャビネット２は、図２に示すように、鏡２２２の下方から鏡２２２よりも前方向に突出する携帯端末９用の搭載台３と、取付け部４と、を備える。
【００２６】
取付け部４は、搭載台３が取り付けられる部分である。取付け部４は、本実施形態では、鏡扉２２の下方（要するに、鏡２２２の下方）に配置されている。キャビネット２１の下端部には、縁部材２６が取り付けられており、縁部材２６に対して、取付け部４が取り付けられている。要するに、取付け部４は、キャビネット２１の下端部に取り付けられている。
【００２７】
ただし、本開示では、取付け部４は、キャビネット２１に対して直接的に取り付けられてもよい。キャビネット２１と取付け部４との取付けは、例えば、ねじ、釘、リベット、接着、溶接、嵌合等による接合により実現される。
【００２８】
縁部材２６は、キャビネット２１の下端面を覆う化粧材である。縁部材２６の左右方向の寸法は、キャビネット２１の左右方向の長さと同じである。縁部材２６の上下方向の寸法は、取付け部４の上下方向の寸法よりも大きい。
【００２９】
取付け部４は、図３に示すように、支持板４１と、一対のガイドレール４２と、を備える。一対のガイドレール４２は、支持板４１の左右方向の両端部に設けられている。各ガイドレール４２は、本実施形態では、支持板４１の左右方向の端部から上方向に突出している。各ガイドレール４２は、前後方向に沿って延びた溝４２１を有する。本実施形態に係る溝４２１は、上下方向に離れた一対の突条４２２で構成されている。一対のガイドレール４２における溝４２１同士は、互いに対向している。
【００３０】
搭載台３は、取付け部４に対して、収納位置と、引出し位置との間で、移動可能に取り付けられている。搭載台３は、本実施形態では、取付け部４に対して、前後方向に移動可能に取り付けられており、要するに、鏡２２２に対して、前後方向に可動である。本実施形態では、搭載台３は、取付け部４に対して取り外すこともできる。搭載台３は、取付け部４に取り付けられることで、下側のサッシ２２３に沿う。搭載台３は、載置部３１と、蓋３２と、複数の移動子３３と、を備える。
【００３１】
ここで、本開示でいう「収納位置」とは、搭載台３のうちの載置部３１が取付け部４に収まった位置を意味する。「引出し位置」とは、例えば図２における想像線で示す搭載台３の位置を意味する。
【００３２】
載置部３１は、携帯端末９が載る部分である。載置部３１は、本実施形態では、水平面に沿った平板状に形成されている。ただし、本開示に係る載置部３１は、携帯端末９が載ればよく、平板状でなくてもよく、枠状であってもよいし、棒状であってもよい。収納位置にある載置部３１は、支持板４１に対して、上下方向にみて重なっている。
【００３３】
蓋３２は、載置部３１の前方向の端部に設けられ、載置部３１が収納位置にあるときに、取付け部４の前側の端部を覆う。本実施形態では、蓋３２は、載置部３１の上面よりも上方向に突出し、かつ載置部３１の下面よりも下方向に突出する。本実施形態では、蓋３２部のうちの載置部３１よりも上方向に突出した部分が位置決め部３２１を構成する。
【００３４】
位置決め部３２１は、載置部３１に載った携帯端末９の下端部の位置を保つ。位置決め部３２１は、本実施形態では、載置部３１の前端部において上方向に突出している。載置部３１に携帯端末９を載せると、図１に示すように、位置決め部３２１は、携帯端末９の下端部に対して、前方に対向する。本実施形態では、携帯端末９の背面を鏡２２２に当てた状態で、携帯端末９の下端部の位置が位置決め部３２１によって保たれる。これによって、本実施形態に係る位置決め部３２１は、携帯端末９の下端部の位置が前方向に移動するのを制限することができ、要するに、携帯端末９の下端部の位置を保つことができる。
【００３５】
本実施形態に係る位置決め部３２１は、携帯端末９の下端部が前方向に移動するのを制限したが、例えば、位置決め部３２１は、携帯端末９の下端部を前後方向の両側から挟んで、携帯端末９を保持してもよい。この場合、位置決め部３２１によって、携帯端末９を自立させてもよい。
【００３６】
移動子３３は、ガイドレール４２に沿って移動する。移動子３３は、載置部３１に左右方向の両端面から左右方向のうちの載置部３１から離れる方向に突出する。移動子３３は、本実施形態では、一の載置部３１の端面において、前後方向に複数ある。このため、載置部３１は、水平面に沿った状態を保ったまま、前後方向に移動することができ、要するに、スライド移動することができる。
【００３７】
移動子３３は、ガイドレール４２に対して一定の抵抗を有する状態で、取付け部４に取り付けられている。このため、載置部３１は、取付け部４に対して移動するが、任意の位置で保持される。このため、本実施形態では、搭載台３は、取付け部４に対して、収納位置と引出し位置との間で、無段階で移動させることができる。
【００３８】
本開示では、ガイドレール４２に、移動子３３の位置を保持できる複数の凸部を設けてもよい。搭載台３に対して、一定の力を加えて移動させると、移動子３３が凸部を乗り越える。これによって、搭載台３は、取付け部４に対して段階的に移動させることができる。
【００３９】
携帯端末９は、可搬性を有する情報処理端末である。携帯端末９は、本実施形態では、例えば、タブレット端末、スマートフォン、携帯電話、ＰＤＡ（Personal Digital Assistant）等の通信ネットワークを介して電気信号を授受可能な端末が挙げられる。また、携帯端末９は、液晶テレビ、デジタルフォトフレーム等であってもよい。携帯端末９は、一時的に搭載台３に置くものに限らず、長期間にわたって搭載台３に置かれてもよい。携帯端末９は、有線でデータを送受信可能に構成されてもよい。
【００４０】
このように、本実施形態では、鏡２２２に沿って、又は鏡２２２の一部に重なるようにして、携帯端末９を配置することができる。このため、ユーザは、携帯端末９を搭載台３に置きながら、例えば、化粧、整髪、洗面等の身支度を行うことができる。しかも、本実施形態では、携帯端末９の背面を鏡２２２に当てることで、携帯端末９の表示面を水平面に対して傾斜させた状態で保つことができる。このため、ユーザは、携帯端末９を見やすい。
【００４１】
また、携帯端末９の下端部の位置を位置決め部３２１で保つことができ、携帯端末９を安定して置くことができるため、ユーザを被写体として、例えば、写真、動画撮影、テレビ電話等を行いやすい。
【００４２】
（２）変形例
上記実施形態は、本開示の様々な実施形態の一つに過ぎない。実施形態は、本開示の目的を達成できれば、設計等に応じて種々の変更が可能である。以下に説明する変形例は、適宜組み合わせて適用可能である。
【００４３】
（２．１）変形例１
上記実施形態では、ボウル６２は、カウンタ面６１から下方向に凹んでいたが、例えば、図４に示すような態様であってもよい。本変形例に係るボウル６２は、カウンタ面６１から上方向に突出する、いわゆるベッセル式の洗面器である。
【００４４】
本変形例に係る鏡２２２は、設置面８２に取り付けられている。鏡２２２は、板状であり、設置面８２に取り付けられている。鏡２２２の設置面８２に対する取付けは、例えば、サッシ、フック、ハンガー金具等の取付け部材を介した取付けのほか、接着等によっても実現される。
【００４５】
搭載台３は、鏡２２２の下端面に沿って配置されており、設置面８２に取り付けられている。上記実施形態では、搭載台３は、鏡２２２に対して移動したが、本変形例では、鏡２２２に対して固定されている。ただし、本変形例に係る搭載台３は、上記実施形態と同様、載置部３１と、位置決め部３２１と、を有する。位置決め部３２１の詳細は、上記実施形態と同じであるため、説明を省略する。
【００４６】
（２．２）その他の変形例
以下、実施形態の変形例を列挙する。
【００４７】
上記実施形態では、鏡装置は洗面台１であったが、本開示に係る鏡装置は、例えば、浴室の鏡、化粧台等に適用されてもよい。
【００４８】
上記実施形態では、位置決め部３２１は載置部３１から上方向に突出していたが、本開示では、位置決め部３２１は、載置部３１から凹む溝で構成されてもよい。
【００４９】
ボウル６２の形状は、略矩形状に限らず、円形、オーバル型、ハート形等であってもよい。また、ボウル６２は、洗面ボウルでなくてもよく、手洗い器等であってもよい。
【００５０】
上記実施形態に係る鏡装置としての洗面台１は、フロート式の洗面台であったが、本開示では、床面に設置された洗面台であってもよい。
【００５１】
本開示にて、「略平行」、又は「略直交」のように「略」を伴った表現が、用いられる場合がある。例えば、「略平行」とは、実質的に「平行」であることを意味し、厳密に「平行」な状態だけでなく、数％程度の誤差を含む意味である。他の「略」を伴った表現についても同様である。
【００５２】
また、本開示において「前端部」及び「前端」などのように、「…端部」と「…端」とで区別した表現が用いられている。例えば、「前端部」とは、「前端」を含む一定の範囲を持つ部分を意味する。他の「…端部」を伴った表現についても同様である。
【００５３】
（３）態様
以上説明したように、第１の態様に係る鏡装置は、鏡２２２と、鏡２２２の下方から鏡２２２よりも前方向に突出する携帯端末９用の搭載台３と、を備える。搭載台３は、携帯端末９が載る載置部３１と、載置部３１に載った携帯端末９の下端部の位置を保つ位置決め部３２１と、を有する。
【００５４】
この態様によれば、ユーザは、例えば、携帯端末９を搭載台３に置きながら、鏡２２２を使用することができ、例えば、化粧、整髪、洗面等の身支度を行うことができる。
【００５５】
第２の態様に係る鏡装置では、第１の態様において、位置決め部３２１は、載置部３１から上方向に突出して、携帯端末９の下端部に対し前方に対向する。
【００５６】
この態様によれば、携帯端末９を立て掛けても、携帯端末９の下端部が前方向に移動するのが制限される。このため、携帯端末９を載置部３１に比較的容易に置くことができる上に、載置部３１に対する支持状態が安定する。
【００５７】
第３の態様に係る鏡装置では、第１又は第２の態様において、鏡２２２を保持するサッシ２２３を更に備える。搭載台３は、サッシ２２３に沿って取り付けられる。
【００５８】
この態様によれば、載置部３１と鏡２２２との間に、携帯端末９を立て掛けることができる。したがって、鏡２２２に沿って、又は鏡２２２の一部に重なるようにして携帯端末９を置くことができる。
【００５９】
第４の態様に係る鏡装置では、第１〜第３のいずれか一つの態様において、鏡２２２の下方に設けられた取付け部４を更に備える。搭載台３は、取付け部４に対して移動可能に取り付けられる。
【００６０】
この態様によれば、搭載台３において鏡２２２よりも突出する寸法を変化させることができる。これにより、携帯端末９の表示面の角度をユーザが使い易い角度にすることができる。
【００６１】
第５の態様に係る鏡装置では、第１〜第３のいずれか一つの態様において、鏡２２２の下方に設けられた取付け部４を更に備える。搭載台３は、取付け部４に対して取外し可能に取り付けられる。
【００６２】
この態様によれば、搭載台３を用いない場合には、取付け部４から搭載台３を取り外すことができる。
【００６３】
第６の態様に係る鏡装置では、第１〜第５のいずれか一つの態様において、設置面８２に沿って取り付けられ前面に開口面を有するキャビネット２１と、キャビネット２１に対して開口面を開閉可能に取り付けられた鏡扉２２と、を更に備える。鏡扉２２は、鏡２２２を含む。
【００６４】
この態様によれば、ミラーキャビネットに対して、携帯端末９を搭載台３に置きながら、鏡２２２を使用することができる。
【００６５】
第２〜第５の態様に係る構成については、鏡装置に必須の構成ではなく、適宜省略可能である。
【符号の説明】
【００６６】
１      洗面台（鏡装置）
２１      キャビネット
２２      鏡扉
２２２      鏡
２２３      サッシ
３      搭載台
３１      載置部
３２１      位置決め部
４      取付け部
９      携帯端末
【図１】
2020120946.tif 000003
【図２】
2020120946.tif 000004
【図３】
2020120946.tif 000005
【図４】
2020120946.tif 000006